(57)【要約】【課題】使用者がポンプの振動音等を不快に感じることなく、試運転に要する時間の短縮化を図る。【解決手段】熱源機Ｄと浴槽５との間に湯水の循環路Ｊを備え、循環路Ｊに備えられる循環ポンプ２６により、熱交換器Ｎ１，Ｎ２にて加熱された湯水が往き路２４を介して浴槽５に供給されるとともに、浴槽５から戻り路２３を介して熱交換器Ｎ１，Ｎ２に戻されるように構成され、循環ポンプ２６を作動させて浴槽５の湯水を循環路Ｊにて循環させる試運転と、循環ポンプ２６を作動させて浴槽５の湯水を循環路Ｊにて循環させる通常運転とが実行可能に構成され、循環ポンプ２６として回転速度可変型のポンプが採用され、通常運転を行うときには、循環ポンプ２６を第１回転速度にて作動させ、試運転を行うときには、循環ポンプ２６を第１回転速度よりも高速の第２回転速度にて作動させる。【選択図】図１
2010071525.tif 000002
【特許請求の範囲】
【請求項１】
熱交換器を備えた熱源機と浴槽との間に湯水の循環路を備え、前記循環路に備えられる循環ポンプにより、前記熱交換器にて加熱された湯水が往き路を介して前記浴槽に供給されるとともに、前記浴槽から戻り路を介して前記熱交換器に戻されるように構成され、
前記循環ポンプを作動させて前記浴槽の湯水を前記循環路にて循環させる試運転と、前記循環ポンプを作動させて前記浴槽の湯水を前記循環路にて循環させる通常運転とが実行可能に構成された風呂設備の運転方法であって、
前記循環ポンプとして回転速度可変型のポンプが採用され、
前記通常運転を行うときには、前記循環ポンプを第１回転速度にて作動させ、前記試運転を行うときには、前記循環ポンプを前記第１回転速度よりも高速の第２回転速度にて作動させる風呂設備の運転方法。
【請求項２】
熱交換器を備えた熱源機と浴槽との間に湯水の循環路を備え、前記循環路に備えられる循環ポンプにより、前記熱交換器にて加熱された湯水が往き路を介して前記浴槽に供給されるとともに、前記浴槽から戻り路を介して前記熱交換器に戻されるように構成され、
前記循環ポンプを作動させて前記浴槽の湯水を前記循環路にて循環させる試運転と、前記循環ポンプを作動させて前記浴槽の湯水を前記循環路にて循環させる通常運転とが実行可能な制御手段が設けられている風呂設備であって、
前記循環ポンプとして回転速度可変型のポンプが採用され、
前記制御手段が、前記通常運転を行うときには、前記循環ポンプを第１回転速度にて作動させ、前記試運転を行うときには、前記循環ポンプを前記第１回転速度よりも高速の第２回転速度にて作動させるように構成されている風呂設備。
【請求項３】
前記循環路を通して前記浴槽に湯水を供給する湯水供給手段と、
前記循環路における湯水の流量が所定値以上であるか否かを検出する水流検出手段とが設けられ、
前記制御手段が、前記試運転として、前記湯水供給手段にて前記浴槽に湯水を供給し、その湯水供給後に前記循環ポンプを作動させたときの前記水流検出手段の検出情報に基づいて、前記浴槽の水位が前記循環路の接続箇所よりも高い位置であるか否かを判定する湯水供給・判定処理を繰り返し行い、前記浴槽の水位を設定水位に制御する又は前記浴槽の湯水量を設定湯水量に制御する試運転用湯張り運転を行うように構成されている請求項２に記載の風呂設備。
【請求項４】
前記制御手段が、前記試運転として、前記循環ポンプを作動させて、前記浴槽から前記戻り路を介して戻された湯水を前記熱交換器にて加熱し、その加熱された湯水を前記往き路を介して前記浴槽に供給する追焚運転を行うように構成されている請求項２又は３に記載の風呂設備。
【発明の詳細な説明】
【技術分野】
【０００１】
本発明は、熱交換器を備えた熱源機と浴槽との間に湯水の循環路を備え、前記循環路に備えられる循環ポンプにより、前記熱交換器にて加熱された湯水が往き路を介して前記浴槽に供給されるとともに、前記浴槽から戻り路を介して前記熱交換器に戻されるように構成され、前記循環ポンプを作動させて前記浴槽の湯水を前記循環路にて循環させる試運転と、前記循環ポンプを作動させて前記浴槽の湯水を前記循環路にて循環させる通常運転とが実行可能に構成された風呂設備の運転方法、及び、その風呂設備に関する。
【背景技術】
【０００２】
上記のような風呂設備では、通常運転として、例えば、浴槽の湯水の温度を設定温度に制御する追焚運転や、浴槽の水位を設定水位に制御するとともに、浴槽の湯水の温度を設定温度に制御する風呂自動運転を行っている。
追焚運転では、循環ポンプを作動させて、浴槽から戻り路を介して戻された湯水を熱交換器にて加熱し、その加熱された湯水を往き路を介して浴槽に供給することにより、浴槽の湯水の温度を設定温度に制御している。
風呂自動運転では、循環路に設けられた水位検出手段等の検出情報に基づいて、浴槽の水位が設定水位となるように浴槽に湯水を供給するとともに、上述の追焚運転を行うことにより、浴槽の水位を設定水位に制御するとともに、浴槽の湯水の温度を設定温度に制御している。また、循環路における湯水の流量が所定値以上であるか否かを検出する水流検出手段が設けられている設備では、循環ポンプを作動させたときの水流検出手段の検出情報から浴槽の水位が循環路の接続箇所よりも高い位置であるか否かを判定することができる。よって、このような設備では、風呂自動運転において、循環ポンプを作動させることで浴槽の水位が循環路の接続箇所よりも高い位置であるか否かの判定を行い、その判定結果に基づいて、浴槽に残り湯が有るか無いかや浴槽の現在水位がどのような高さにあるかを確認しながら、浴槽に湯水を供給することができ、浴槽の水位を設定水位に効率よく制御できる。
【０００３】
試運転は、通常運転を行う前の設備の設置時等に行われるものであり、例えば、通常運転における各運転を適正に行うことができるか等を確認するために行っている。また、風呂自動運転では、浴槽の水位を設定水位に制御しているが、浴槽の大きさによって、浴槽の水位を設定水位に制御するために必要な湯水量が異なる。そこで、風呂自動運転を行う従来の設備では、試運転において、浴槽に湯水を供給した状態で水位を検出することにより、その浴槽に対応する設定水位を記憶するようにしている（例えば、特許文献１参照。）。この従来の設備では、試運転として、浴槽に湯水を供給し、その湯水供給後に循環ポンプを作動させたときの水流検出手段の検出情報に基づいて、浴槽の水位が循環路の接続箇所よりも高い位置であるか否かを判定する湯水供給・判定処理を繰り返し行いながら、浴槽の水位を定めた水位に制御して、そのときに検出した水位等から設定水位を求め、その求めた設定水位を記憶するようにしている。
【０００４】
【特許文献１】特開２００２−３９６１５号公報
【発明の開示】
【発明が解決しようとする課題】
【０００５】
上記従来の風呂設備では、循環ポンプを作動させることにより追焚運転や風呂自動運転等の通常運転を行うのであるが、浴槽の温度を速やかに上昇させて設定温度に制御するまでの時間を極力短くしたいという要求がある。そこで、その要求を満たすべく、循環ポンプの回転速度を高速の回転速度に設定することが考えられるが、この場合には、循環ポンプ自体の振動等が大きくなり、使用者がその振動音等を不快に感じることになる。よって、従来の風呂設備では、循環ポンプの回転速度としては高速の回転速度を設定していなかった。
【０００６】
一方、試運転については、通常、設備の設置時に作業者によって行われるので、試運転に要する時間を短くしたいという要求に応えるために、循環ポンプの回転速度を高速にしても、使用者がポンプの振動音等を不快に感じることがない。しかしながら、従来の風呂設備では、循環ポンプが一定の回転速度にて作動する定回転速度型のものが採用されているので、循環ポンプの回転速度を高速にすると、通常運転を行うときに使用者がポンプの振動音等を不快に感じてしまうことになる。よって、従来の風呂設備では、循環ポンプの回転速度を高速に設定することができず、試運転に要する時間を短くしたいという要求に応えることができなかった。また、特許文献１に記載の風呂設備では、試運転として、循環ポンプを作動させる湯水供給・判定処理を繰り返し行うので、湯水供給・判定処理の夫々について時間がかかり、試運転に要する時間が長いものとなっていた。
【０００７】
本発明は、かかる点に着目してなされたものであり、その目的は、使用者がポンプの振動音等を不快に感じることなく、試運転に要する時間の短縮化を図ることができる風呂設備の運転方法及び風呂設備を提供する点にある。
【課題を解決するための手段】
【０００８】
この目的を達成するために、本発明に係る風呂設備の運転方法の特徴構成は、熱交換器を備えた熱源機と浴槽との間に湯水の循環路を備え、前記循環路に備えられる循環ポンプにより、前記熱交換器にて加熱された湯水が往き路を介して前記浴槽に供給されるとともに、前記浴槽から戻り路を介して前記熱交換器に戻されるように構成され、前記循環ポンプを作動させて前記浴槽の湯水を前記循環路にて循環させる試運転と、前記循環ポンプを作動させて前記浴槽の湯水を前記循環路にて循環させる通常運転とが実行可能に構成された風呂設備の運転方法であって、
前記循環ポンプとして回転速度可変型のポンプが採用され、前記通常運転を行うときには、前記循環ポンプを第１回転速度にて作動させ、前記試運転を行うときには、前記循環ポンプを前記第１回転速度よりも高速の第２回転速度にて作動させる点にある。
【０００９】
本特徴構成によれば、試運転を行うときには、循環ポンプを第１回転速度よりも高速の第２回転速度にて作動させるので、試運転に要する時間の短縮化を図ることができる。しかも、追焚運転や風呂自動運転等の通常運転を行うときには、使用者がポンプの振動音等を不快に感じることがないような範囲で極力高速の回転速度を第１回転速度として設定して、循環ポンプをその第１回転速度にて作動させることができる。その結果、使用者がポンプの振動音等を不快に感じることがなく、浴槽の温度を速やかに上昇させて設定温度に制御するまでの時間を極力短くしたいという要求にも応えながら、試運転に要する時間の短縮化を図ることが実現できる。
【００１０】
本発明に係る風呂設備の特徴構成は、熱交換器を備えた熱源機と浴槽との間に湯水の循環路を備え、前記循環路に備えられる循環ポンプにより、前記熱交換器にて加熱された湯水が往き路を介して前記浴槽に供給されるとともに、前記浴槽から戻り路を介して前記熱交換器に戻されるように構成され、前記循環ポンプを作動させて前記浴槽の湯水を前記循環路にて循環させる試運転と、前記循環ポンプを作動させて前記浴槽の湯水を前記循環路にて循環させる通常運転とが実行可能な制御手段が設けられている風呂設備であって、
前記循環ポンプとして回転速度可変型のポンプが採用され、前記制御手段が、前記通常運転を行うときには、前記循環ポンプを第１回転速度にて作動させ、前記試運転を行うときには、前記循環ポンプを前記第１回転速度よりも高速の第２回転速度にて作動させるように構成されている点にある。
【００１１】
本特徴構成によれば、上記本発明に係る風呂設備の運転方法でも述べた如く、試運転を行うときには、循環ポンプを第１回転速度よりも高速の第２回転速度にて作動させることができ、しかも、追焚運転や風呂自動運転等の通常運転を行うときには、循環ポンプを第１回転速度にて作動させることができるので、使用者がポンプの振動音等を不快に感じることがなく、浴槽の温度を速やかに上昇させて設定温度に制御するまでの時間を極力短くしたいという要求にも応えながら、試運転に要する時間の短縮化を図ることが実現できる。
【００１２】
本発明に係る風呂設備の更なる特徴構成は、前記循環路を通して前記浴槽に湯水を供給する湯水供給手段と、前記循環路における湯水の流量が所定値以上であるか否かを検出する水流検出手段とが設けられ、前記制御手段が、前記試運転として、前記湯水供給手段にて前記浴槽に湯水を供給し、その湯水供給後に前記循環ポンプを作動させたときの前記水流検出手段の検出情報に基づいて、前記浴槽の水位が前記循環路の接続箇所よりも高い位置であるか否かを判定する湯水供給・判定処理を繰り返し行い、前記浴槽の水位を設定水位に制御する又は前記浴槽の湯水量を設定湯水量に制御する試運転用湯張り運転を行うように構成されている点にある。
【００１３】
本特徴構成によれば、制御手段が、試運転として、湯水供給・判定処理を繰り返し行う試運転用湯張り運転を行うが、湯水供給・判定処理の夫々において循環ポンプを第１回転速度よりも高速の第２回転速度にて作動させることができる。そして、試運転用湯張り運転を行うことにより浴槽の水位を設定水位に制御するので、そのときの水位を設定水位として記憶することができる。よって、風呂自動運転を行う設備では、風呂自動運転においてその記憶した設定水位を用いて浴槽の水位を制御することができるので、浴槽の大きさにかかわらず、浴槽の水位を設定水位に適正に制御することができながら、試運転に要する時間を効果的に短縮することができる。
【００１４】
本発明に係る風呂設備の更なる特徴構成は、前記制御手段が、前記試運転として、前記循環ポンプを作動させて、前記浴槽から前記戻り路を介して戻された湯水を前記熱交換器にて加熱し、その加熱された湯水を前記往き路を介して前記浴槽に供給する追焚運転を行うように構成されている点にある。
【００１５】
本特徴構成によれば、試運転において追焚運転を行うことにより、追焚運転を適正に行うことができるか否かを確認することができながら、その追焚運転に要する時間を短くすることができる。よって、有用な試運転を行うことができながら、その試運転に要する時間の短縮化を図ることができる。
【発明を実施するための最良の形態】
【００１６】
本発明に係る風呂設備の実施形態について図面に基づいて説明する。
〔第１実施形態〕
この風呂設備は、図１に示すように、熱交換器を備えた熱源機Ｄと、その熱源機Ｄにて加熱された湯水を熱源機Ｄと浴槽５との間で循環させるための循環路Ｊ等を備えて構成されている。
【００１７】
熱源機Ｄは、一般家庭用の水道管に接続された給水路１からの水をガス燃焼式のバーナｇ１によって加熱して、加熱後の湯水を先端に給湯栓２を備えた給湯路３に供給する給湯用動作部Ａ、浴槽５内の湯水をガス燃焼式のバーナｇ２によって加熱して追焚きする追焚用動作部Ｂ、熱源機Ｄの運転を制御する制御手段としての運転制御部Ｕ、メインリモコンＲ１、及び、浴室リモコンＲ２を備えて構成されている。メインリモコンＲ１は炊事場の近く等に設けられ、浴室リモコンＲ２は浴室内に設けられる。
【００１８】
給湯用動作部Ａ及び追焚用動作部Ｂについて説明を加える。
給湯用動作部Ａ及び追焚用動作部Ｂはいずれも、湯水加熱用の主熱交換器Ｎ１、及び、潜熱回収式の熱交換器（以下、潜熱回収熱交換器と記載する場合がある）Ｎ２を備えて構成される。つまり、本実施形態においては、熱交換器は、主熱交換器Ｎ１と潜熱回収熱交換器Ｎ２とから構成されている。それら主熱交換器Ｎ１及び潜熱回収熱交換器Ｎ２は、バーナｇ１，ｇ２から排気路７に向かう燃焼排ガス流動方向において潜熱回収熱交換器Ｎ２が下手側に位置する状態で、その燃焼排ガス流動方向に沿って並べて設けられている。
そして、潜熱回収熱交換器Ｎ２にて、主として各バーナｇ１，ｇ２の燃焼排ガスの潜熱により湯水を加熱し、主熱交換器Ｎ１にて、主として各バーナｇ１，ｇ２の燃焼排ガスの顕熱により、潜熱回収熱交換器Ｎ２にて加熱された湯水を加熱するように構成されている。
【００１９】
各潜熱回収熱交換器Ｎ２からは、燃焼生成水である酸性の凝縮水であるドレンが生成するが、このドレンはドレンパン８によって集められて中和器９に供給され、その中和器９にて中和されたのち、ドレンタンク６に貯留されるように構成されている。この中和器９は、詳述はしないが、ドレンに対して中和作用する中和剤（例えば、炭酸カルシウム）が装填されている。ドレンタンク６に貯留されたドレンは、所定の時期に排出される構成となっている。
【００２０】
給湯用動作部Ａ及び追焚用動作部Ｂには、各バーナｇ１，ｇ２に一般家庭用の燃料ガスを供給するガス供給路Ｇが接続され、そのガス供給路Ｇには、燃料ガス供給量を調整する電磁式のガス比例弁１０、燃料ガスの供給を断続する断続弁１１が設けられている。又、給湯用動作部Ａ及び追焚用動作部Ｂには、各バーナｇ１，ｇ２に燃焼用空気を供給する燃焼用ファン１２が設けられ、更に、図示を省略するが、各バーナｇ１，ｇ２の近くには、点火動作を実行する点火用のイグナイタと着火されたか否かを検出するフレームロッドが設けられている。
【００２１】
給水路１が給湯用動作部Ａにおける潜熱回収熱交換器Ｎ２の湯水入口部に接続され、給湯路３が給湯用動作部Ａにおける主熱交換器Ｎ１の湯水出口部に接続されて、給水路１を通して供給される水が潜熱回収熱交換器Ｎ２及び主熱交換器Ｎ１にて加熱されて給湯路３を通して給湯栓２に供給されるように構成されている。
【００２２】
給水路１には、給水温度を検出する給水サ−ミスタ１３と給水量を検出する水量センサ１４とが設けられ、給水路１における給水サ−ミスタ１３及び水量センサ１４よりも下流側の箇所と給湯路３とが、熱交換器Ｎ１，Ｎ２を迂回するように給水バイパス路１５にて接続されている。
給湯路３と給水バイパス路１５との接続箇所には、主熱交換器Ｎ１からの湯量と給水バイパス路１５からの水量との混合比を調整するミキシング弁１７が設けられ、給湯路３における給水バイパス路１５の接続箇所よりも上流側には、主熱交換器Ｎ１から送出される湯水の温度を検出する出湯サーミスタ１６が設けられ、給湯路３における給水バイパス路１５の接続箇所よりも下流側には、上流側から順に、ミキシング弁１７により混合された後の湯水の温度を検出する給湯サ−ミスタ１８、湯水の量を調整する水比例弁１９、一般給湯の割込みを検出する割込み水量センサ２０が設けられている。
【００２３】
浴槽５に装備された循環アダプタ２５と追焚用動作部Ｂにおける潜熱回収熱交換器Ｎ２の湯水入口部とが戻り路としての浴槽用戻り路２３にて接続され、その循環アダプタ２５と追焚用動作部Ｂにおける主熱交換器Ｎ１の湯水出口部とが往き路としての浴槽用往き路２４により接続され、浴槽用戻り路２３と浴槽用往き路２４とが浴槽内の湯水を循環させるための循環路Ｊとして構成されている。浴槽用戻り路２３に、浴槽５内の湯水を吸引して追焚用動作部Ｂの潜熱回収熱交換器Ｎ２に送出するように追焚用循環ポンプ２６（循環ポンプに相当する）が設けられている。
そして、追焚用循環ポンプ２６の通流作用により、浴槽５内の湯水が、浴槽用往き路２４及び浴槽用戻り路２３を通して潜熱回収熱交換器Ｎ２及び主熱交換器Ｎ１と浴槽５とに亘って循環されることになり、潜熱回収熱交換器Ｎ２及び主熱交換器Ｎ１にて加熱された湯水が浴槽５に循環供給されるように構成されている。
【００２４】
浴槽用戻り路２３には、上流側から順に、圧力を検出することによって浴槽５の水位を検出する水位センサ２７、浴槽５から取り出される湯水の温度、即ち、浴槽５内の湯水の温度を検出する浴槽戻り温サ−ミスタ２８、追焚用循環ポンプ２６、水流スイッチ３０が設けられ、浴槽用往き路２４には、浴槽５に供給される湯水の温度を検出する浴槽往き温サ−ミスタ３１が設けられている。ここで、追焚用循環ポンプ２６として回転速度可変型のポンプを採用している。水流スイッチ３０は、水流検出手段に相当するものであり、循環路Ｊの流量が所定値未満でＯＦＦとなっており、その流量が所定値以上となるとＯＮとなり、循環路Ｊの流量が所定値以上となることを検出するように構成されている。
【００２５】
給湯路３における水比例弁１９と割込み水量センサ２０との間の箇所から、給湯路３からの湯水を浴槽５に供給するための湯張り路２２が分岐されて、その湯張り路２２が、浴槽用戻り路２３における追焚用循環ポンプ２６と浴槽戻り温サ−ミスタ２８との間の箇所に接続されている。この湯張り路２２には、上流側から順に、湯張り路２２を開閉する湯張り電磁弁３２と、湯張り逆止弁３３とが設けられており、湯張り電磁弁３２と湯張り逆止弁３３との間の箇所には、空気層形成用ホッパ３４が介装されている。
【００２６】
そして、湯張り電磁弁３２を開弁すると、給湯用動作部Ａにて加熱されて湯張り路２２を通して供給される湯水が浴槽用戻り路２３を浴槽５側と追焚用動作部Ｂの潜熱回収熱交換器Ｎ２側の両側に通流して、湯張り路２２を通して供給される湯水が浴槽用往き路２４及び浴槽用戻り路２３の両方を通して浴槽５に供給されることになる。これにより、湯水供給手段が、給湯用動作部Ａ及び湯張り路２２にて構成されている。
【００２７】
風呂設備の運転を制御する運転制御部Ｕは、メインリモコンＲ１及び浴室リモコンＲ２夫々と通信可能に構成されている。
メインリモコンＲ１及び浴室リモコンＲ２には、運転の開始と停止を指令する運転スイッチ３７、風呂自動運転を指令する風呂自動スイッチ３８、一般給湯温度を設定する給湯温度設定スイッチ３９、浴槽５内の湯水の設定温度を設定する浴槽温度設定スイッチ４０、追焚運転を指令する追焚運転スイッチ４１等の各種スイッチが設けられている。また、図示は省略するが、設定温度等の各種情報を表示する表示部等も設けられている。
【００２８】
運転制御部Ｕは、運転スイッチ３７がＯＮ操作されると制御可能な状態になり、給湯栓２が開操作されると、給湯栓２から給湯温度設定スイッチ３９にて設定された給湯設定温度の湯水を給湯する一般給湯運転を実行する。運転制御部Ｕは、追焚運転スイッチ４１がＯＮ操作されると、浴槽５の湯水の温度を浴槽温度設定スイッチ４０にて設定された浴槽設定温度に追焚する追焚運転を実行し、風呂自動スイッチ３８がＯＮ操作されると、浴槽５の水位を設定水位に制御し且つ浴槽５の湯水の温度を浴槽温度設定スイッチ４０にて設定された設定温度に制御する風呂自動運転を実行する。
【００２９】
運転制御部Ｕは、通常運転として、一般給湯運転、追焚運転、風呂自動運転等の各種運転を行うようにしているが、設備の設置時等に、各種運転が適正に行われるかを確認するために試運転を行うようにしている。また、この設備では、浴槽５の水位を設定水位に制御する風呂自動運転を行うことから、試運転において、設置された浴槽５に対応する設定水位を記憶するようにしている。これにより、通常運転として風呂自動運転を行うときに、試運転により記憶した設定水位に基づいて浴槽の水位を設定水位に制御することができ、浴槽の大きさにかかわらず、浴槽の水位を設定水位に適正に制御することができる。
また、試運転は、設備の設置時に限らず、例えば、記憶していた設定水位がリセットされたときにも行える。そして、運転制御部Ｕは、設定水位を記憶していないときに風呂自動スイッチ３８がＯＮ操作されることにより試運転を行う。
【００３０】
〔追焚循環ポンプの回転速度の設定〕
本発明に係る風呂設備では、追焚用循環ポンプ２６として回転速度可変型のポンプを採用しており、この追焚用循環ポンプ２６の回転速度として、試運転を行うときの回転速度と通常運転を行うときの回転速度とが異なるように設定している。
つまり、図２のフローチャートに示すように、運転制御部Ｕは、設定水位を記憶していない状態で風呂自動スイッチ３８がＯＮ操作されているかを確認することにより試運転を行うかを判別する。そして、運転制御部Ｕは、試運転を行うときには、追焚用循環ポンプ２６の回転速度を第１回転速度よりも高速の第２回転速度に設定してその設定した第２回転速度にて追焚用循環ポンプ２６を作動させる。また、運転制御部Ｕは、試運転を行わず通常運転を行うときには、追焚用循環ポンプ２６の回転速度を第１回転速度に設定してその設定した第１回転速度にて追焚用循環ポンプ２６を作動させる。ここで、第２回転速度は、例えば、第１回転速度の５０％だけ第１回転速度よりも高速の回転速度に設定されており、第１回転速度は、例えば、使用者がポンプの振動音等を不快に感じないような範囲で極力高速の回転速度に設定されている。
【００３１】
このように追焚用循環ポンプ２６の回転速度を設定することにより、試運転を行うときに、高速の第２回転速度にて追焚用循環ポンプ２６を作動させることができ、試運転に要する時間の短縮化を図ることができる。しかも、通常運転を行うときに、第１回転速度にて追焚用循環ポンプ２６を作動させることができ、追焚用循環ポンプ２６自体の振動が大きくなり、使用者がそのポンプの振動音等を不快に感じることがなく、浴槽の温度を速やかに上昇させて設定温度に制御するまでの時間を極力短くしたいという要求等にも応えることができる。
【００３２】
〔試運転〕
図３の浴槽の水位を示した模式図及び図４のフローチャートに基づいて、試運転における動作について説明する。
運転制御部Ｕは、浴槽５に供給する湯水の設定供給量を例えば１０リットルに設定した湯水供給処理を行ったのち、循環判定処理を行う（＃１，２）。ここで、この湯水供給処理及び循環判定処理が、湯水供給・判定処理に相当する。
【００３３】
湯水供給処理について説明を加えると、運転制御部Ｕは、給湯用動作部Ａにおける燃焼用ファン１２を駆動したのち、断続弁１１を開弁してイグナイタによりバーナｇ１に点火し、浴槽温度設定スイッチ４０による設定温度、水量センサ１４の検出水量、給水サ−ミスタ１３の検出水温、及び、給湯サ−ミスタ１８の検出温度等に基づいて、給湯サ−ミスタ１８の検出温度が浴槽温度設定スイッチ４０による設定温度になるようにガス比例弁１０の開度及びミキシング弁１７の開度を調節する。そして、運転制御部Ｕは、湯張り電磁弁３２を開弁操作して、水量センサ１４の検出情報に基づいて浴槽５に供給した湯水の供給量を監視しながら、浴槽５への湯水の供給を行い、その監視している供給量が設定供給量（ここでは、１０リットル）に達すると、湯張り電磁弁３２を閉弁操作してバーナｇ１の燃焼を停止して湯水供給処理を終了する。
【００３４】
循環判定処理について説明を加えると、運転制御部Ｕは、追焚用循環ポンプ２６を作動させて水流スイッチ３０がＯＮとなるかＯＦＦとなるかを判定する。ここで、上述の如く、試運転を行うときの追焚用循環ポンプ２６の回転速度を第２回転速度に設定しているので、追焚用循環ポンプ２６を第２回転速度にて作動させる。
浴槽５の水位が循環アダプタ２５の設置位置（循環路Ｊの接続箇所に相当する）より低いと、追焚用循環ポンプ２６を作動させても循環路Ｊに水流が生じず水流スイッチ３０がＯＦＦのままとなる。一方、浴槽５の水位が循環アダプタ２５の設置位置より高いと、追焚用循環ポンプ２６を作動させると循環路Ｊに水流が生じて水流スイッチ３０がＯＮとなる。よって、この循環判定処理では、浴槽５の水位が循環アダプタ２５の設置位置よりも低いか高いかを判定している。図４では、水流スイッチ３０がＯＮのときを「ＯＮ」と省略して示し、水流スイッチ３０がＯＦＦのときを「ＯＦＦ」と省略して示す。
【００３５】
試運転は、通常、浴槽５に湯水が無い状態で行うので、１０リットルの湯水を供給しただけでは浴槽５の水位が循環アダプタ２５の設置位置よりも高くならないことから、運転制御部Ｕは、＃２において水流スイッチ３０がＯＦＦであることを確認すると、浴槽５に供給する湯水の設定供給量を例えば６０リットルに設定した湯水供給処理を行ったのち、循環判定処理を行う（＃３，４）。逆に、運転制御部Ｕは、＃２において水流スイッチ３０がＯＮであると、エラーとする（＃５）。
【００３６】
運転制御部Ｕは、＃４において水流スイッチ３０がＯＮであることを確認すると、浴槽５に供給する湯水の設定供給量を例えば１０リットルに設定した湯水供給処理を行ったのち、循環判定処理を行い、水流スイッチ３０がＯＮであることを確認すると、そのときの浴槽５の水位を水位センサ２７にて検出し、その検出した水位を基準水位Ｈ１として記憶する（＃６〜８）。ここで、図３に示すように、浴槽５には、１０リットル、６０リットル、１０リットルの合計８０リットルの湯水が供給されているので、基準水位Ｈ１は、８０リットルの湯水量に対応する水位となる。
【００３７】
次に、運転制御部Ｕは、浴槽５に供給する湯水の設定供給量を例えば４０リットルに設定した湯水供給処理を行ったのち、そのときの浴槽５の水位を水位センサ２７にて検出し、図３に示すように、その検出した水位を水位Ｈ２として記憶する（＃９，１０）。そして、運転制御部Ｕは、記憶している基準水位Ｈ１及び水位Ｈ２に基づいて、設定水位までの残量を演算する（＃１１）。４０リットルの湯水を供給しているので、基準水位Ｈ１と水位Ｈ２との水位差は、その４０リットルに対応するだけの水位上昇量となる。よって、その水位上昇量から浴槽５の大きさを求め、その求めた浴槽５の大きさを用いて浴槽５の水位を水位Ｈ２から設定水位まで上昇させるために必要な残量を求めている。
【００３８】
運転制御部Ｕは、浴槽５に供給する湯水の設定供給量を求めた残量に設定した湯水供給処理を行ったのち、そのときの浴槽５の現在水位を水位センサ２７にて検出し、その検出した現在水位が設定水位以上であることを確認すると、その現在水位を設定水位として記憶する（＃１２〜１４）。
このようにして、運転制御部Ｕは、湯水供給処理及び循環判定処理を繰り返し行い、浴槽５の水位を設定水位に制御する試運転用湯張り運転を行い、そのときに検出した水位を設置した浴槽５に対応する設定水位として記憶するようにしている。
【００３９】
＃４に戻り、運転制御部Ｕは、＃４において水流スイッチ３０がＯＮにならないときには、水流スイッチ３０がＯＮになるまで、浴槽５に供給する湯水の設定供給量を例えば２０リットルに設定した湯水供給処理を行ったのち循環判定処理を行う動作を繰り返すようにしている（＃１５，１４）。これは、浴槽５の大きさによっては、浴槽５に湯水が無い状態から７０リットルを供給しても、浴槽５の水位が循環アダプタ２５の設置位置よりも高くならない場合もあるからである。
また、＃７及び＃１３に戻り、運転制御部Ｈは、＃７において水流スイッチ３０がＯＮとならないとき、及び、＃１３において現在水位が設定水位以上にならないときには、エラーとしている（＃１６，１７）。
【００４０】
運転制御部Ｕは、設定水位を記憶すると、追焚運転を行う（＃１８）。追焚運転について説明すると、運転制御部Ｕは、まず、追焚用循環ポンプ２６を作動させて、浴槽５内の湯水を浴槽用戻り路２３及び浴槽用往き路２４を通して一定時間（例えば、数十秒〜数分）循環させ、浴槽５内の湯水の温度を浴槽戻り温サ−ミスタ２８により検出する。このとき、追焚用循環ポンプ２６は、第２回転速度にて作動させる。そして、運転制御部Ｕは、浴槽戻り温サ−ミスタ２８にて検出された検出温度が浴槽温度設定スイッチ４０により設定された設定温度より低い場合には、引き続き追焚用循環ポンプ２６を第２回転速度にて作動させて、追焚用動作部Ｂにおける燃焼用ファン１２を駆動したのち、断続弁１１を開弁してイグナイタによりバーナｇ２に点火し、浴槽往き温サ−ミスタ３１の検出温度が追焚用設定出湯温度（例えば６０℃）になるようにガス比例弁１０の開度を調節する。そして、運転制御部Ｕは、浴槽戻り温サーミスタ２８の検出温度が浴槽温度設定スイッチ４０による設定温度に達するまで追焚運転を行い、浴槽５内の湯水の温度が設定温度以上になると、追焚用循環ポンプ２６を作動停止させて、断続弁１１を閉弁させてバーナｇ２の燃焼を停止させ、燃焼用ファン１２を停止させて追焚運転を終了する。
【００４１】
運転制御部Ｕは、追焚運転を終了すると、その後引き続いて、予め設定されているキープ運転時間の間キープ運転を行う（＃１９）。このキープ運転では、運転制御部Ｕが、浴槽５内の湯水の水位が設定水位以上になるように湯水供給処理を行うとともに、浴槽５内の湯水の温度が浴槽温度設定スイッチ４０にて設定された設定温度になるように追焚運転を行い、キープ運転時間が経過するとキープ運転を終了する。このキープ運転での追焚運転においても、追焚用循環ポンプ２６は第２回転速度にて作動させる。
【００４２】
〔通常運転〕
以下、通常運転における動作について説明する。
運転制御部Ｕは、通常運転として、一般給湯運転、追焚運転、風呂自動運転等を行うが、追焚運転については、上述の試運転での追焚運転と同様であるので、説明は省略する。
【００４３】
〔一般給湯運転〕
一般給湯運転について説明すると、運転制御部Ｕは、給湯栓２が開き操作されて水量センサ１４による検出水量が所定量以上になると、給湯用動作部Ａにおける燃焼用ファン１２を駆動したのち、断続弁１１を開弁してイグナイタによりバーナｇ１に点火し、給湯温度設定スイッチ３９による設定温度、水量センサ１４の検出水量、給水サ−ミスタ１３の検出水温、及び、給湯サ−ミスタ１８の検出温度などに基づいて、給湯サ−ミスタ１８の検出温度が給湯温度設定スイッチ３９による設定温度になるようにガス比例弁１０の開度及びミキシング弁１７の開度を調節する。水量センサ１４により通水が検出されなくなると、断続弁１１を閉弁してバーナｇ１の燃焼を停止し、燃焼用ファン１２も停止して一般給湯運転を終了する。
【００４４】
〔風呂自動運転〕
図５のフローチャートに基づいて風呂自動運転における動作について説明する。ちなみに、湯水供給処理及び循環判定処理については、上述の試運転で説明した動作と同じであるので、詳細な説明は省略する。また、図５では、図４と同様に、水流スイッチ３０がＯＮのときを「ＯＮ」と省略して示し、水流スイッチ３０がＯＦＦのときを「ＯＦＦ」と省略して示す。
【００４５】
運転制御部Ｕは、水位センサ２７にて検出する現在水位が基準水位Ｈ１（図３参照）以下であると、浴槽５に供給する湯水の設定供給量を例えば１０リットルに設定した湯水供給処理を行ったのち、循環判定処理を行い、水流スイッチ３０がＯＦＦであることを確認すると、浴槽５に供給する湯水の設定供給量を例えば７０リットルに設定した湯水供給処理を行ったのち、循環判定処理を行い、水流スイッチ３０がＯＮであることを確認して、浴槽５の水位が循環アダプタ２５の設置位置よりも高い状態に制御する（＃２１〜２５）。
【００４６】
運転制御部Ｕは、＃２１において現在水位が基準水位Ｈ１よりも高いと、循環判定処理を行い、水流スイッチ３０がＯＮであることを確認すると、追焚運転を行う（＃２６，２７）。ここで、上述の如く、通常運転を行うときには、追焚用循環ポンプ２６を第１回転速度に設定しているので、循環判定処理及び追焚運転では、追焚用循環ポンプ２６を第１回転速度にて作動させる。
また、運転制御部Ｕは、＃２６にて水流スイッチ３０がＯＦＦであると、＃２２に移行する。
【００４７】
運転制御部Ｕは、＃２３において水流スイッチ３０がＯＮであると、浴槽５に供給する湯水の設定供給量を例えば１０リットルに設定した湯水供給処理を行ったのち、循環判定処理を行い、水流スイッチ３０がＯＮであることを確認して、浴槽５の水位が循環アダプタ２５の設置位置よりも高い状態に制御する（＃２８，２９）。
また、運転制御部Ｕは、＃２５において水流スイッチ３０がＯＦＦであるとき、及び、＃２９において水流スイッチ３０がＯＦＦであるときには、浴槽５に供給する湯水の設定供給量を例えば２０リットルに設定した湯水供給処理を行ったのち（＃３０）、＃２５に移行する。
【００４８】
このようにして、運転制御部Ｕは、浴槽５の水位が循環アダプタ２５の設置位置よりも高い状態に制御すると、そのときの浴槽５の水位を水位センサ２７にて検出し、その検出した水位が設定水位未満であると、検出した水位と設定水位との水位差に基づいて、浴槽５の水位を設定水位に上昇させるのに必要な残量を演算する（＃３１，３２）。そして、運転制御部Ｕは、浴槽５に供給する湯水の設定供給量を求めた残量に設定した湯水供給処理を行ったのち追焚運転を行い、その後引き続いてキープ運転を行う（＃３３〜３５）。この追焚運転及びキープ運転での追焚運転においても、追焚用循環ポンプ２６は第１回転速度にて作動させる。
【００４９】
〔第２実施形態〕
この第２実施形態は、上記第１実施形態において試運転及び風呂自動運転の別実施形態である。その他の構成や動作については、上記第１実施形態と同様であるので、以下、第２実施形態における試運転及び風呂自動運転について説明する。
【００５０】
〔試運転〕
この第２実施形態では、メインリモコンＲ１や浴室リモコンＲ２に試運転の実行を指令する試運転スイッチを設けており、その試運転スイッチがＯＮ操作されることにより運転制御部Ｕが試運転を行う。また、この第２実施形態では、試運転として、湯水供給・判定処理である湯水供給処理及び循環判定処理を繰り返し行い、浴槽５の湯水量を設定湯水量に制御する試運転用湯張り運転を行うようにしている。
【００５１】
図６のフローチャートに示すように、運転制御部Ｕは、浴槽５に供給する湯水の設定供給量を例えば１０リットルに設定した湯水供給処理を行ったのち、循環判定処理を行い、水流スイッチ３０がＯＦＦであることを確認すると、浴槽５に供給する湯水の設定供給量を残量に設定した湯水供給処理を行ったのち、循環判定処理を行う（＃１００〜１０３）。ここで、残量とは、浴槽５の湯水量を設定湯水量（例えば２００リットル）とするための残量であり、具体的には、（設定湯水量−１０リットル）となる。
【００５２】
そして、運転制御部Ｕは、＃１０３において水流スイッチ３０がＯＮであることを確認すると、追焚運転を行う（＃１０４）。また、運転制御部Ｕは、＃１０３において水流スイッチ３０がＯＦＦであると、浴槽５に供給する湯水の設定供給量を例えば１０リットルに設定した湯水供給処理を行ったのち、循環判定処理を行い、水流スイッチ３０がＯＮであることを確認すると、＃１０４に移行する（＃１０５，１０６）。
運転制御部Ｕは、＃１０１において水流スイッチ３０がＯＮであるときや、＃１０６において水流スイッチ３０がＯＦＦであるときには、エラーとしている（＃１０７，１０８）。
【００５３】
この第２実施形態においても、上記第１実施形態と同様に、試運転での循環判定処理及び追焚運転を行うときは、追焚用循環ポンプ２６を第２回転速度にて作動させる。
【００５４】
〔風呂自動運転〕
図７のフローチャートに示すように、運転制御部Ｕは、まず、循環判定処理を行い、水流スイッチ３０がＯＦＦであると、浴槽５に供給する湯水の設定供給量を例えば１０リットルに設定した湯水供給処理を行ったのち、循環判定処理を行う（＃１１０〜１１２）。そして、運転制御部Ｕは、＃１１２において水流スイッチ３０がＯＦＦであると、浴槽５に残り湯が無いとして、浴槽５に供給する湯水の設定供給量を残り湯無し用の残量に設定した湯水供給処理を行い、その後、追焚運転を行って引き続いて保温運転を行う（＃１１３〜１１５）。
保温運転について説明すると、運転制御部Ｕは、設定時間が経過するごとに、追焚用循環ポンプ２６を作動させて、浴槽５内の湯水を浴槽用戻り路２３及び浴槽用往き路２４を通して一定時間（例えば、数十秒〜数分）循環させ、浴槽５内の湯水の温度を浴槽戻り温サ−ミスタ２８により検出し、その検出した検出温度が浴槽温度設定スイッチ４０により設定された設定温度より低い場合には、追焚運転を行う。
【００５５】
運転制御部Ｕは、＃１１０及び＃１１２において水流スイッチ３０がＯＮであると、浴槽５に残り湯が有るとして、追焚用循環ポンプ２６を作動させて、浴槽５内の湯水を浴槽用戻り路２３及び浴槽用往き路２４を通して一定時間（例えば、数十秒〜数分）循環させ、そのときの浴槽５内の湯水の温度を第１湯温として浴槽戻り温サ−ミスタ２８により検出する（＃１１６）。そして、運転制御部Ｕは、第１湯温が２５℃以上であれば、浴槽５に供給する湯水の設定供給量を例えば２０リットルに設定した湯水供給処理を行い、逆に、第１湯温が２５℃未満であれば、浴槽５に供給する湯水の設定供給量を例えば２０リットルに設定した湯水供給処理を行う（＃１１７〜１１９）。
【００５６】
このようにして、湯水供給処理を行うと、運転制御部Ｕは、追焚用循環ポンプ２６を作動させて、浴槽５内の湯水を浴槽用戻り路２３及び浴槽用往き路２４を通して一定時間（例えば、数十秒〜数分）循環させ、そのときの浴槽５内の湯水の温度を第２湯温として浴槽戻り温サ−ミスタ２８により検出する（＃１２０）。そして、運転制御部Ｕは、第１湯温及び第２湯温、並びに、湯水供給処理にて浴槽５に供給した湯水の設定供給量及びその湯水の温度に基づいて、浴槽５に残っていた残り湯量を演算する（＃１２１）。運転制御部Ｕは、求めた残り湯量、及び、これまで浴槽５に供給した湯水量に基づいて、浴槽５の湯水量を設定湯水量（例えば２００リットル）にするための残り湯有り用の残量を求め、浴槽５に供給する湯水の設定供給量をその求めた残り湯有り用の残量に設定して湯水供給処理を行い、＃１１４に移行する（＃１２１，１２２）。
【００５７】
この第２実施形態においても、上記第１実施形態と同様に、通常運転での循環判定処理及び追焚運転を行うときは、追焚用循環ポンプ２６を第１回転速度にて作動させる。
【００５８】
〔別実施形態〕
（１）上記第１及び第２実施形態では、第１回転速度及び第２回転速度を一定の回転速度としているが、第１回転速度及び第２回転速度を変更設定することもできる。例えば、追焚運転を行うときには、浴槽内の湯水の温度と浴槽温度設定スイッチ４０による設定温度との温度差に基づいて、その温度差が設定温度差よりも大きい場合には第１回転速度及び第２回転速度を高速側に変更設定し、その温度差が設定温度差よりも小さい場合には第１回転速度及び第２回転速度を低速側に変更設定することもできる。
【産業上の利用可能性】
【００５９】
本発明は、熱交換器を備えた熱源機と浴槽との間に湯水の循環路を備え、前記循環路に備えられる循環ポンプにより、前記熱交換器にて加熱された湯水が往き路を介して前記浴槽に供給されるとともに、前記浴槽から戻り路を介して前記熱交換器に戻されるように構成され、前記循環ポンプを作動させて前記浴槽の湯水を前記循環路にて循環させる試運転と、前記循環ポンプを作動させて前記浴槽の湯水を前記循環路にて循環させる通常運転とが実行可能に構成され、使用者がポンプの振動音等を不快に感じることなく、試運転に要する時間の短縮化を図ることができる各種の風呂設備の運転方法及び風呂設備に適応することができる。
【図面の簡単な説明】
【００６０】
【図１】風呂設備の概略構成図
【図２】追焚用循環ポンプの回転速度の設定におけるフローチャート
【図３】浴槽の水位を示す模式図
【図４】第１実施形態における試運転のフローチャート
【図５】第１実施形態における風呂自動運転のフローチャート
【図６】第２実施形態における試運転のフローチャート
【図７】第２実施形態における風呂自動運転のフローチャート
【符号の説明】
【００６１】
５            浴槽
２２          湯水供給手段（湯張り路）
２３          戻り路（浴槽用戻り路）
２４          往き路（浴槽用往き路）
２６          循環ポンプ（追焚用循環ポンプ）
３０          水流検出手段（水流スイッチ）
Ａ            湯水供給手段（給湯用動作部）
Ｄ            熱源機
Ｊ            循環路
Ｎ１，Ｎ２    熱交換器
Ｕ            制御手段（運転制御部）
【図１】
2010071525.tif 000003
【図２】
2010071525.tif 000004
【図３】
2010071525.tif 000005
【図４】
2010071525.tif 000006
【図５】
2010071525.tif 000007
【図６】
2010071525.tif 000008
【図７】
2010071525.tif 000009